(57)【要約】【課題】居住生活を続行しながらリフォームするのに都合のよい養生シート及びシート養生構造。【解決手段】住宅Ｈのリフォーム施工において居住生活領域空間Ｈ’と施工作業領域空間Ｈ”とを仕切る養生シートＡ’であって、  この養生シートＡ’が、吸音材Ａ’ａからなり又は吸音材Ａ’ａを備えてなり、かつ、仕切り空間の上部側から垂れ下げ、拡げ張られた状態の姿勢を維持可能とする重さを有している。【選択図】図２
2012007448.tif 000002
【特許請求の範囲】
【請求項１】
住宅のリフォーム施工において居住生活領域空間と施工作業領域空間とを仕切る養生シートであって、
この養生シートが、吸音材からなり又は吸音材を備えてなり、かつ、仕切り空間の上部側から垂れ下げ、拡げ張られた状態の姿勢を維持可能とする重さを有していることを特徴とする養生シート。
【請求項２】
前記養生シートが、吸音材と、この吸音材を挟む防水シートを備えていることを特徴とする請求項１に記載の養生シート。
【請求項３】
住宅のリフォーム施工において居住生活領域空間と施工作業領域空間とを一連に拡げ張られる複数枚の養生シートで仕切るシート養生構造であって、
前記養生シートが、吸音材からなり又は吸音材を備えてなり、かつ、仕切り空間の上部側から垂れ下げ、拡げ張られた状態の姿勢を維持可能とする重さを有していることを特徴とするシート養生構造。
【請求項４】
前記養生シートが、吸音材と、この吸音材を挟む防水シートを備えていることを特徴とする請求項３に記載のシート養生構造。
【請求項５】
前記養生シートが、隣り合う養生シートにおける隣り合う側部を重ねあわせるようにして仕切り空間の上部側から垂れ下げ、拡げ張られていることを特徴とする請求項３又は請求項４に記載のシート養生構造。
【請求項６】
前記養生シートの、少なくとも一枚以上の養生シートが、捲り上げ可能とされていることを特徴とする請求項３、請求項４又は請求項５に記載のシート養生構造。
【発明の詳細な説明】
【技術分野】
【０００１】
この発明は、施工依頼者が継続居住する条件のもとで住宅のリフォーム施工をするのに都合の良い養生シート及びシート養生構造の提供に関するものである。
【背景技術】
【０００２】
住宅のリフォームは、当該住宅の居住者を、他の住宅に転居させた後に施工される場合もあるが、各種の事情で、当該住宅に居住を継続した状態で、リフォーム施工がなされる場合がある。
【０００３】
このように施工依頼者が居住を継続する条件のもとで、住宅のリフォームをなす場合、リフォームの工事作業に伴う塵埃等が、継続居住している居住者の生活領域に入り込まないように、この施工作業領域空間と居住生活領域空間とを、プラスチックシート等で遮蔽するように仕切る養生施工を、通例、施すようにしていた。
【０００４】
従来、この種のリフォーム施工に際して、たとえば、ポリエステル生地に塩化ビニルをコーティングしたプラスチックシート等が居住生活領域空間と作業領域空間とを仕切る汎用的な手段として用いられていた。
【０００５】
この種のプラスチックシートは、着色されて、たとえば、ブルーシートなどと称されて市販されており、防塵や、飛沫の飛散を防ぐ点で効果的であり、また、かかる素材は適宜の濃度で着色されていることから居住生活領域空間を透視し難いように工夫されており、必要最小限のプライバシーが保護されるように工夫されている。
【０００６】
しかしながら、シート自体が薄手に構成されていることから、居住生活領域空間と作業領域空間との境界の周側部分に凹凸があったりっした場合、この凹凸に追随して当該養生シートを隙き間無く押し込み塞ぐような仕切り手段としては不向きであった。
【０００７】
また、かかる薄手のシートを都合良く張り込むために、通例、シートの周辺部分に設けた孔に紐を通して、シートにテンションをかけるように架設バー等に当該紐を結わえ付けるようにして当該シートを垂直に張り設けるようにしていた（たとえば、特許文献１）。
【０００８】
しかしながら、かかる従来手法では、リフォーム作業に伴って、作業領域に生ずる塵埃等を、ある程度、居住領域に進入するのを防止しうるものの、作業者の作業状態が居住生活者側からブルーシート等を介して察知することができ、また、逆に、作業者側から居住状況を、当該ブルーシートを介して、ある程度、察知できる傾向にあり、同時に、作業に伴って生ずる騒音と、日常的な会話などが当該養生シートを介して他方に漏れ出すなどの不具合があり、プライバシー保護の面においても、必ずしも、満足し得るものではなかった。
【０００９】
また、改修に伴って生ずる各種の施工時の騒音は、ある程度、甘受せざるをえないものの、当該住宅における居住生活領域空間に、リフォーム施工に伴う騒音が比較的ダイレクトに伝播し易く、当該住宅の居住性を著しく損なう不具合があった。
【００１０】
また、居住生活領域空間と作業領域空間とを仕切るシートがプラスチックシートであることから、当該シートが薄く、風等の直接的な吹き込みを避けるように養生し得るものの、シートの周縁部分を居住生活領域空間と作業領域空間とを確実に遮蔽するようにセットするためには多くの作業手間を要し、この結果、当該養生シートによる仕切り部分に効率的な冷暖房効果を求め難い不具合があった。
【００１１】
かかる点から、住宅のリフォームに際して、リフォームの依頼者が当該住宅に快適に居住しながら、リフォームを可能とするリフォーム用養生シートの開発と、当該リフォーム用のシート養生構造の開発とが求められていた。
【先行技術文献】
【特許文献】
【００１２】
【特許文献１】特開平６−２００６３３号公報
【発明の概要】
【発明が解決しようとする課題】
【００１３】
この発明が解決しようとする主たる問題点は、住宅のリフォームに際して、当該住宅にリフォームの施主が居住しながら、施主等にもたらされる騒音等の不具合を最小限にとどめ極力快適な居住生活状態を維持しながらリフォームをなし得るリフォーム用の養生シートと、当該養生シートを用いたリフォーム用のシート養生構造を提案するものである。
【課題を解決するための手段】
【００１４】
前記課題を達成するために、この発明にあっては、住宅のリフォーム施工において居住生活領域空間と施工作業領域空間とを仕切る養生シートであって、
この養生シートが、吸音材からなり又は吸音材を備えてなり、かつ、仕切り空間の上部側から垂れ下げ、拡げ張られた状態の姿勢を維持可能とする重さを有していることを特徴とする養生シートとしてある。
【００１５】
このように構成される養生シートは、居住生活領域空間と施工作業領域空間の仕切り空間の上部側から、当該養生シートを垂れ下げ、拡げ張ることで、居住生活領域空間と施工作業領域空間とを仕切ることができ、簡易かつ的確に養生シートによる居住生活領域空間と施工作業領域空間との仕切りをなすことができる。すなわち、簡易な手法で、リフォームに伴って生ずる塵埃等が居住生活領域空間に侵入するのを効果的に防止することができる。
【００１６】
また、当該養生シートが吸音材で構成され、又は、吸音材を備えて構成されていることから、リフォームにおける各種工具を用いた施工時の騒音を効果的に減じることができ、しかも、施工作業者の動作や話し声、居住生活者の生活音、話し声等を当該養生シートにおいて効果的に減ずることができる。
【００１７】
また、当該養生シートは、垂れ下げ、拡げ張られた状態の姿勢を維持可能な重さを備える構成としてあることから、整然とした垂れ下げ状態で、居住生活領域空間と施工作業領域空間とを仕切ることができ、快適な居住空間を作りだすと共に、施工の妨げとならない作業空間を作りだすことができる。
【００１８】
また、前記養生シートが、吸音材と、この吸音材を挟む防水シートを備えている養生シートにあっては、吸音材と防水シートによる遮音機能を備えると共に、防水機能を、併せ備える養生シートとされる。
【００１９】
次いで、前記課題を達成するために、住宅のリフォーム施工において居住生活領域空間と施工作業領域空間とを一連に拡げ張られる複数枚の養生シートで仕切るシート養生構造であって、
前記養生シートが、吸音材からなり又は吸音材を備えてなり、かつ、仕切り空間の上部側から垂れ下げ、拡げ張られた状態の姿勢を維持可能とする重さを有していることを特徴とするシート養生構造の発明にあっては、
居住生活領域空間と施工作業領域空間の仕切り空間の上部側から、養生シートを順次、垂れ下げ、拡げ張ることで、居住生活領域空間と施工作業領域空間とを仕切ることができ、簡易かつ的確に養生シートによる居住生活領域空間と施工作業領域空間とを仕切ってリフォーム施工をなすことができ、リフォームに伴って生ずる塵埃等が施工作業側から居住生活領域空間に侵入するのを効果的に防止するシート養生構造を構成することができる。
【００２０】
また、かかるシート養生構造では、リフォームにおける各種工具を用いた施工時の騒音を効果的に減じることができ、しかも、施工作業者の動作や話し声、居住生活者の生活音、話し声等を当該シート養生構造を構成する養生シートにおいて効果的に減ずることができる。
【００２１】
また、当該養生シートは、垂れ下げ、拡げ張られた状態の姿勢を維持可能な重さを備える構成としてあることから、整然とした垂れ下げ状態で、居住生活領域空間と施工作業領域空間とを仕切るシート養生構造を構成することができ、快適な居住空間を作りだすと共に、施工の妨げとならない作業空間を作りだすことができる。
【００２２】
また、前記養生シートが、吸音材と、この吸音材を挟む防水シートを備えている養生シートにあっては、吸音材と防水シートによる遮音機能を備えると共に、防水機能を、併せ備えるシート養生構造を構成することができる。
【００２３】
また、前記養生シートが、隣り合う養生シートにおける隣り合う側部を重ねあわせるようにして仕切り空間の上部側から垂れ下げ、拡げ張られて構成されるシート養生構造にあっては、リフォームの施工作業において生ずる塵埃等が居住生活領域空間に侵入するのを、さらに、効果的に防ぐことが可能であり、同時に、リフォーム施工作業側において生ずる騒音が居住生活領域空間へ伝わる騒音を、より減少することができると共に、居住生活領域空間における会話等の生活動作音がリフォームの施工作業者に伝わり難く、リフォーム時においても、ストレス無く居住を続行することができる。
【００２４】
また、前記シート養生構造を構成する養生シートの、少なくとも一枚以上の養生シートが、捲り上げ可能とされているシート養生構造にあっては、当該捲り上げ可能な養生シートを通路の開閉手段とすることが可能とされ、リフォーム施工作業領域空間と居住生活領域空間の往来に用いることができる。かかる、捲り上げ可能な養生シートを通路の開閉手段とすることで、別段に通路手段を設ける必要が無く、また、当該養生シートは、捲り上げ状態を解放することで、垂れ下がり、拡げ張られ、当該通路として解放された部分を効果的に遮蔽し、かつ、防音効果を減ずることが無い。
【発明の効果】
【００２５】
この発明は、住宅Ｈにおけるリフォームに際して、リフォーム施工作業領域から居住生活領域に伝わるリフォーム作業騒音を減少させると同時に、リフォーム作業者の作業動作や、生活者の生活動作等が、他方の領域に伝わり難い養生シートを比較的安価に提供し、かつ、かかるシート養生構造を簡易に構成することができる。
【図面の簡単な説明】
【００２６】
【図１】図１は、本件養生シートを用いてリフォーム施工作業領域空間Ｈ”と居住生活領域空間Ｈ’とを仕切った状態の住宅Ｈ要部の平断面図である。
【図２】図２は、同リフォーム施工作業中の住宅Ｈの要部の斜視図である。
【図３】図３は、同養生シートＡ’を捲りあげて通路１４として用いている状態を示す住宅Ｈの要部の斜視図である。
【図４】図４は、養生シートＡ’を垂れ下げた状態の要部の断面図である。
【図５】図５は、本件養生シートＡ’を用いてリフォーム施工作業領域空間Ｈ”と居住生活領域空間Ｈ’とを仕切った他の状態の住宅Ｈ要部の平断面図である。
【図６】図６は、同リフォーム施工作業中の住宅Ｈの要部の斜視図である。
【図７】図７は、同養生シートＡ’を捲りあげて通路１４として用いている状態を示す住宅Ｈの要部の斜視図である。
【図８】図８は、養生シートＡ’を垂れ下げた状態の要部の断面図である。
【発明を実施するための形態】
【００２７】
以下、この発明の典型的な各実施の形態について説明する。この実施の形態にかかる養生シートＡ’と、当該養生シートＡ’を用いて構成されるシート養生構造Ａは、住宅Ｈのリフォームに際して、リフォームの施主が、比較的快適に、居住を継続しながら、リフォームの施工作業をなし得ると共に、作業者側においても、居住者に対して比較的、気兼ねなく作業をなし得るようにしたものであって、シート養生構造Ａを簡易に設置し得る特長を併せ有するものである。
【００２８】
かかる養生シートＡ’は、典型的には、住宅Ｈのリフォーム施工において居住生活領域空間Ｈ’と施工作業領域空間Ｈ”とを仕切る養生シートＡ’であって、
この養生シートＡ’が、吸音材Ａ’ａからなり又は吸音材Ａ’ａを備えてなり、かつ、仕切り空間の上部側から垂れ下げ、拡げ張られた状態の姿勢を維持可能とする重さを有していることを特徴とする養生シートＡ’としてある。
【００２９】
すなわち、住宅Ｈのリフォームに際して、リフォームの施工作業領域空間Ｈ”と居住生活領域空間Ｈ’の境界Ｙに、当該養生シートＡ’を、当該リフォーム施工作業領域空間Ｈ”と、居住生活領域空間Ｈ’とを隙間無く遮蔽し得るように、当該境界Ｙに沿って、当該境界Ｙの上部側から垂れ下げ、拡げ張るようにして、リフォーム時に生ずる塵埃等が、この養生シートＡ’で、施工作業領域空間Ｈ”から、居住生活領域空間Ｈ’に進入するのを阻止し、かつ、居住生活領域空間Ｈ’に対する進入騒音の低減や、居住生活領域空間Ｈ’における温度維持等をなすものである。
【００３０】
かかる養生シートＡ’は、住宅Ｈのリフォーム施工において居住生活領域空間Ｈ’と施工作業領域空間Ｈ”とを仕切って、施工作業領域空間Ｈ”において生ずる塵埃等が居住生活領域空間Ｈ’に進入せず、かつ、当該養生シートＡ’において、発生騒音等が減殺され得る柔軟なシート材であれば、いかなる素材からなる養生シートであってもよく、単一素材で構成してあっても、また、複合素材で構成してあってもよい。また、かかる養生シートＡ’は、前記の要請をみたすものであれば、単層のシート材で構成してあっても、積層された複数層で構成された一葉のものであってもよい。また、かかる養生シートＡ’は、いわゆる、プラスチックシートやプラスチックフィルム等のような密実の素材によって構成してあっても、また、不織布、フェルト、グラスウール、ロックウール、セルローズファイバーなどの空隙を備える素材によって構成してあってもよい。また、かかる養生シートＡ’は、かかるグラスウール等の空隙を有する素材とプラスチックシートやプラスチックフィルム等を積層することで構成してあってもよい。さらにまた、かかる養生シートＡ’は、グラスウール等の空隙を有する素材を各種のシートやフィルムで覆うようにして構成してあってもよい。
【００３１】
また、かかる養生シートＡ’は、施工作業領域空間Ｈ”と居住生活領域空間Ｈ’との間で、騒音等の伝達を極力減少させ、居住生活者に対して快適な生活を保障すると同時リフォームの施工作業を円滑に進捗しうるものであれば、いかなる、素材で構成されていてもよい。
【００３２】
また、かかる養生シートＡ’は、仕切り空間の上部側から垂れ下げ、拡げ張られた状態の姿勢を維持可能とする重さを有しておれば、いかなる素材からなっていてもよく、柔軟で、かつ、当該養生シートＡ’を、当該養生シートＡ’の上部側を仕切り空間の上部側に止めつけて垂れ下げ、拡げ張った際に、この垂れ下げ、拡げ張られた状態の姿勢を維持し得る重さを備えて構成してあれば、いかなる構成としてあってもよい。
【００３３】
このように構成される養生シートＡ’は、居住生活領域空間Ｈ’と施工作業領域空間Ｈ”の仕切り空間の上部側から、当該養生シートＡ’を垂れ下げ、拡げ張ることで、居住生活領域空間Ｈ’と施工作業領域空間Ｈ”とを仕切ることができ、簡易かつ的確に養生シートＡ’による居住生活領域空間Ｈ’と施工作業領域空間Ｈ”との仕切りをなすことができる。すなわち、簡易な手法で、リフォームに伴って生ずる塵埃等が居住生活領域空間Ｈ’に侵入するのを効果的に防止することができる。
【００３４】
また、当該養生シートＡ’が吸音材Ａ’ａで構成され、又は、吸音材Ａ’ａを備えて構成されていることから、リフォームにおける各種工具を用いた施工時の騒音を効果的に減じることができ、しかも、施工作業者の動作や話し声、居住生活者の生活音、話し声等を当該養生シートＡ’において効果的に減ずることができる。
【００３５】
また、当該養生シートＡ’は、垂れ下げ、拡げ張られた状態の姿勢を維持可能な重さを備える構成としてあることから、整然とした垂れ下げ状態で、居住生活領域空間Ｈ’と施工作業領域空間Ｈ”とを仕切ることができ、境界Ｙから居住生活領域空間Ｈ’側に快適な居住空間を作りだすと共に、他方の施工作業領域空間Ｈ”側に施工の妨げとならない効果的な作業空間を作りだすことができる。
【００３６】
また、前記養生シートＡ’が、吸音材Ａ’ａと、この吸音材Ａ’ａを挟む防水シートＡ’ｂを備えている養生シートＡ’にあっては、吸音材Ａ’ａと防水シートＡ’ｂによる遮音機能を備えると共に、防水機能を、併せ備える養生シートＡ’とされ、防水を必要とする居住生活領域空間Ｈ’と施工作業領域空間Ｈ”の境界Ｙを、当該養生シートＡ’で遮蔽することができる。
【００３７】
なお、この養生シートＡ’を構成する防水シートＡ’ｂは、当該養生シートＡ’に要請される防水目的に適合し得るものであれば、いかなる素材からなるものであってもよく、吸音材Ａ’ａに対して、各種の手法、たとえば接着等、いかなる態様で備えられていてもよい。
【００３８】
次いで、前記課題を達成するために、住宅Ｈのリフォーム施工において居住生活領域空間Ｈ’と施工作業領域空間Ｈ”とを一連に拡げ張られる複数枚の養生シートＡ’〜Ａ’で仕切るシート養生構造Ａであって、
前記養生シートＡ’が、吸音材Ａ’ａからなり又は吸音材Ａ’ｂを備えてなり、かつ、仕切り空間の上部側から垂れ下げ、拡げ張られた状態の姿勢を維持可能とする重さを有していることを特徴とするシート養生構造Ａの発明にあっては、
居住生活領域空間Ｈ’と施工作業領域空間Ｈ”の仕切り空間の上部側から、養生シートＡ’を順次、垂れ下げ、拡げ張ることで、居住生活領域空間Ｈ’と施工作業領域空間Ｈ”とを隙間無く遮蔽した状態に仕切ることができ、簡易かつ的確に養生シートＡ’による居住生活領域空間Ｈ’と施工作業領域空間Ｈ”とを仕切ってリフォーム施工をなすことができ、リフォームに伴って生ずる塵埃等が施工作業側から居住生活領域空間Ｈ’に侵入するのを効果的に防止するシート養生構造Ａを構成することができる。
【００３９】
すなわち、住宅Ｈのリフォームに際して、リフォームの施工作業領域空間Ｈ”と居住生活領域空間Ｈ’の境界Ｙに、当該養生シートＡ’〜Ａ’を、当該リフォーム施工作業領域空間Ｈ”と、居住生活領域空間Ｈ’とを隙間無く遮蔽し得るように、当該境界Ｙに沿って、当該境界Ｙの上部側から垂れ下げ、拡げ張るようにして、リフォーム時に生ずる塵埃等が、この養生シートＡ’で、施工作業領域空間Ｈ”から、居住生活領域空間Ｈ’に進入するのを阻止し、かつ、居住生活領域空間Ｈ’に対する進入騒音の低減や、居住生活領域空間Ｈ’における温度維持等をなすものである。
【００４０】
かかる養生シートＡ’〜Ａ’は、住宅Ｈのリフォーム施工において居住生活領域空間Ｈ’と施工作業領域空間Ｈ”とを仕切って、施工作業領域空間Ｈ”において生ずる塵埃等が居住生活領域空間Ｈ’に進入せず、かつ、当該養生シートＡ’において、発生騒音等が減殺され得る柔軟なシート材であれば、いかなる素材からなる養生シートであってもよく、単一素材で構成してあっても、また、複合素材で構成してあってもよい。また、かかる養生シートＡ’は、前記の要請をみたすものであれば、単層のシート材で構成してあっても、積層された複数層で構成された一葉のものであってもよい。また、かかる養生シートＡ’は、いわゆる、プラスチックシートやプラスチックフィルム等のような密実の素材によって構成してあっても、また、不織布、フェルト、グラスウール、ロックウール、セルローズファイバーなどの空隙を備える素材によって構成してあってもよい。また、かかる養生シートＡ’は、かかるグラスウール等の空隙を有する素材とプラスチックシートやプラスチックフィルム等を積層することで構成してあってもよい。さらにまた、かかる養生シートＡ’は、グラスウール等の空隙を有する素材を各種のシートやフィルムで覆うようにして構成してあってもよい。
【００４１】
また、かかる養生シートＡ’〜Ａ’は、施工作業領域空間Ｈ”と居住生活領域空間Ｈ’との間で、騒音等の伝達を極力減少させ、居住生活者に対して快適な生活を保障すると同時リフォームの施工作業を円滑に進捗しうるものであれば、いかなる、素材で構成されていてもよく、また、いかなる態様に構成してあってもよい。
【００４２】
また、かかる養生シートＡ’〜Ａ’は、仕切り空間の上部側から垂れ下げ、拡げ張られた状態の姿勢を維持可能とする重さを有しておれば、いかなる素材からなっていてもよく、柔軟で、かつ、当該養生シートＡ’を、当該養生シートＡ’の上部側を仕切り空間の上部側に止めつけて垂れ下げ、拡げ張った際に、この垂れ下げ、拡げ張られた状態の姿勢を維持し得る重さを備えて構成してあれば、いかなる構成としてあってもよい。
【００４３】
このように構成される養生シートＡ’〜Ａ’は、居住生活領域空間Ｈ’と施工作業領域空間Ｈ”の仕切り空間の上部側から、当該養生シートＡ’を垂れ下げ、拡げ張ることで、居住生活領域空間Ｈ’と施工作業領域空間Ｈ”とを隙間無く遮蔽状態に仕切ることができ、簡易かつ的確に養生シートＡ’による居住生活領域空間Ｈ’と施工作業領域空間Ｈ”との仕切りをなすことができる。すなわち、簡易な手法で、リフォームに伴って生ずる塵埃等が居住生活領域空間Ｈ’に侵入するのを効果的に防止することができる。
【００４４】
また、当該養生シートＡ’〜Ａ’が吸音材Ａ’ａで構成され、又は、吸音材Ａ’ａを備えて構成されていることから、リフォームにおける各種工具を用いた施工時の騒音を効果的に減じることができ、しかも、施工作業者の動作や話し声、居住生活者の生活音、話し声等を当該養生シートＡ’において効果的に減ずることができる。
【００４５】
また、当該養生シートＡ’〜Ａ’は、垂れ下げ、拡げ張られた状態の姿勢を維持可能な重さを備える構成としてあることから、整然とした垂れ下げ状態で、居住生活領域空間Ｈ’と施工作業領域空間Ｈ”とを仕切ることができ、境界Ｙから居住生活領域空間Ｈ’側に快適な居住空間を作りだすと共に、他方の施工作業領域空間Ｈ”側に施工の妨げとならない効果的な作業空間を作りだすことができる。
【００４６】
また、前記養生シートＡ’〜Ａ’が、吸音材Ａ’ａと、この吸音材Ａ’ａを挟む防水シートＡ’ｂを備えている養生シートＡ’にあっては、吸音材Ａ’ａと防水シートＡ’ｂによる遮音機能を備えると共に、防水機能を、併せ備える養生シートＡ’とされ、防水を必要とする居住生活領域空間Ｈ’と施工作業領域空間Ｈ”の境界Ｙを、当該養生シートＡ’で隙間無く遮蔽することができる。
【００４７】
また、前記養生シートＡ’が、隣り合う養生シートＡ’における隣り合う側部Ａ’ｘを重ねあわせるようにして仕切り空間の上部側から垂れ下げ、拡げ張られて構成されるシート養生構造Ａにあっては、リフォームの施工作業において生ずる塵埃等が居住生活領域空間Ｈ’に侵入するのを、さらに、効果的に防ぐことが可能であり、同時に、リフォーム施工作業側において生ずる騒音が居住生活領域空間Ｈ’へ伝わる騒音を、より減少することができると共に、居住生活領域空間Ｈ’における会話等がリフォームの施工作業者に伝わり難く、リフォーム時においても、ストレス無しに居住を続行することができる。
【００４８】
また、前記シート養生構造Ａを構成する養生シートＡ’の、少なくとも一枚以上の養生シートＡ’が、捲り上げ可能とされているシート養生構造Ａにあっては、当該捲り上げ可能な養生シートＡ’１を通路１４の開閉手段とすることが可能とされ、リフォーム施工作業側と居住生活側間の往来に用いることができる。かかる、捲り上げ可能な養生シートＡ’１を通路１４の開閉手段とすることで、別段に通路手段を設ける必要が無く、また、当該養生シートＡ’１は、捲り上げ状態を解放することで、当該養生シートＡ’の重さで垂れ下がり、拡げ張られて、当該通路１４を効果的に遮蔽し、かつ、防音効果を減ずることが無い。
【００４９】
なお、かかる捲り上げ可能な養生シートＡ’１は、居住生活領域空間Ｈ’と施工作業領域空間Ｈ”の行き来や、資材の搬出入等に都合のよい位置に設けてあればよく、シート養生構造Ａを構成する一部の養生シートＡ’を用いるように構成してあっても、シート養生構造Ａを構成する養生シートＡ’の複数枚、又は、全部を用いるように構成してあってもよい。
【００５０】
まず、図１〜図４に示される典型的な実施の形態に係る養生シートＡ’及びシート養生構造Ａについて具体的に説明する。
【００５１】
この図示例に係る養生シートＡ’及びシート養生構造Ａは、図１に示される住宅Ｈにおける居室１１と、浴室１２ａ、洗面ルーム１２ｂ等のサニタリー設備等の水回り側住宅部分１２とを連絡する廊下１３における当該水回り側住宅部分１２側の間仕切り壁２０部分を、居住生活領域空間Ｈ’と、施工作業領域空間Ｈ”との境界Ｙとし、この境界Ｙに、養生シートＡ’を、当該境界Ｙにおける空間の上部側、この図示例にあっては梁２６から、垂れ下げ、拡げ張るようにして、廊下１３から居室１１側にリフォーム施工依頼者が居住を継続しながら、サニタリー設備等の水回り側住宅部分１２のリフォームをなす例を示したものであって、境界Ｙから廊下１３を含む居室１１側を居住生活領域空間Ｈ’とし、サニタリー設備等の水回り側住宅部分１２を施工作業領域空間Ｈ”として説明する。
【００５２】
この図示例では、前記廊下１３に沿った間仕切り壁２０の壁面材と、これに沿った廊下１３の床板２２と天井板２４及び廊下１３突き当たりの壁の内側面材と、サニタリー設備等の水回り側住宅部分１２の床板２２、天井板２４及び壁の内側面材とを取り去った状態を示してあり、壁面材２３等の取り除かれた当該廊下１３とサニタリー設備等の水回り側住宅部分１２との間の間仕切り壁２０の壁躯体部２１におけ廊下１３側、及び、その延長面にあって、当該廊下１３からの出入り口１４にあたる開口２０’側に、養生シートＡ’を順次に垂れ下げ、拡げ張るように設け、この一連に拡げ張った養生シートＡ’で、サニタリー設備等の水回り側住宅部分１２をリフォームの施工作業領域空間Ｈ”とし、廊下１３を含む居室１１側住宅部分を居住生活領域空間Ｈ’となるように、両空間を隙間無く遮蔽状態に仕切り、両空間を独立した空間になるように構成する。なお、図中２３は、壁を構成する壁面材であって、施工に際して取り除かれていない壁面材を示している。
【００５３】
ここで、用いられる養生シートＡ’は、前記の吸音材Ａ’ａからなり又は吸音材Ａ’ａを備えてなり、かつ、仕切り空間の上部側、この図示例では梁２６から垂れ下げ、拡げ張られた状態の姿勢を維持可能とする重さを有しているものであって、この図示例では、グラスウール、ロックウール等の短繊維の不織布、フェルトや、セルローズファイバー等の各種繊維よりなる不織布などの、所定厚さの面状材からなる吸音材Ａ’ａの両面に防水シートＡ’ｂを貼り設けた構成としてある。
【００５４】
このように構成される養生シートＡ’は、防水シートＡ’ｂに挟み込まれるように吸音材Ａ’ａを備えており、この吸音材Ａ’ａにおいて施工作業領域空間Ｈ”において発生する騒音や施工者の作業音、作業者の動作音等が、居住生活領域空間Ｈ’に伝達されるのを効果的に減少させる。また、居住生活領域空間Ｈ’における生活者の動作音や会話等が施工作業領域空間Ｈ”側に伝達されるのを効果的に減少させ、居住者のプライバシーが保護されると共に、居住者の動向に左右されることなく施工作業に専念することができる。
【００５５】
また、この養生シートＡ’は、吸音材Ａ’ａの両面に防水シートＡ’ｂが貼り込まれていることから、この防水シートＡ’ｂが、発生騒音等の反射と吸音機能を備えており、居住生活領域空間Ｈ’と施工作業領域空間Ｈ”との間における騒音等の伝達を、より減少させることができる。
【００５６】
また、かかる吸音材Ａ’ａの両面に防水シートＡ’ｂを備える養生シートＡ’は、一方の防水シートＡ’ｂで反射されなかった騒音等は、吸音材Ａ’ａで吸音作用を受けながら他方防水シートＡ’ｂにおいて、さらに、反射及び吸音され、居住生活領域空間Ｈ’と施工作業領域空間Ｈ”との間における騒音等の伝達を、より減少させることができる。
【００５７】
この図示例に係る養生シートＡ’は、前記居住生活領域空間Ｈ’と施工作業領域空間Ｈ”とを、隙間無く遮蔽状態に、すなわち、密に仕切り得ると共に、当該養生シートＡ’の備え付けに都合が良い大きさを備えたものとして用意されており、この図示例にあっては、養生シートＡ’の下部側が土台２５の側面を覆うように当該養生シートＡ’の上部側を釘その他の適宜の止め付け具３２で上部梁２６に止めつけ、前記境界Ｙに沿って当該養生シートＡ’を垂れ下げ状態に拡げ張って、前記居住生活領域空間Ｈ’と施工作業領域空間Ｈ”とを完全に仕切り状態にするように、幅が１，３００ｍｍで、ほぼ３，０００ｍｍの長さからなる複数枚の養生シートＡ’を、隣り合う養生シートＡ’の互いに隣り合う側部Ａ’ｘ、Ａ’ｘを重ね合わせるようにして順次に梁２６に止め付け具３２で、吊設状態に連設し、居住生活領域空間Ｈ’と施工作業領域空間Ｈ”とを、隙間無く遮断して、両空間をそれぞれ独立した状態に仕切る。
【００５８】
このように止め付け具３２で梁２６から吊設状態に連設される養生シートＡ’は、梁２６から垂れ下げ状態に拡げ張られた際に、当該状態を維持可能な重さを備えたものとして構成してあり、前記境界Ｙに沿うように梁２６に釘等の止め付け具３２で止め付けた際に、互いに隣り合う側部Ａ’ｘ、Ａ’ｘが相互に密着する重ね代として重ねあわせられ、一連に連続した養生シートＡ’からなるシート養生構造Ａが構成される。
【００５９】
このように上部側を止め付け具３２で梁２６に止め付けられて垂れ下げ状態に備えられている養生シートＡ’は、随時、必要に応じて下部側を捲り上げて、通行や資材の搬出入等の通路１４とすることが可能であり、この図示例では、壁際にあって、一方の側部Ａ’ｘを次の養生シートＡ’の側部面上に重ね合わせうる養生シートＡ’を出入り口養生シートＡ’１としてあり、この出入り口養生シートＡ’１を随時、必要に応じて捲りあげ、通行や資材の搬出入の通路１４を構成するようにしてある。
【００６０】
かかる出入り口養生シートＡ’１は、捲りあげ状態を解放することで、下方に垂れ下がり状態に拡げ張られ、他の養生シートＡ’と一連に連続されるシート養生構造Ａを構成し、居住生活領域空間Ｈ’と施工作業領域空間Ｈ”とを効果的に遮断する。
【００６１】
なお、前記シート養生構造Ａの構成に際して、梁２６に止め付け吊設されて、拡げ張られる養生シートＡ’は、この吊設される梁２６に直交する向きにある梁等の横架材２７等、この養生シートＡ’の拡げ張りに障碍となる物が存在する場合でも、当該養生シートＡ’の該当部分をカットすることなく、撓める等して、境界Ｙに沿って拡げ張ることが可能であり、養生シートＡ’の再利用を損なうことがなく、養生シートＡ’を効率良く用いることができる。
【００６２】
このように構成される養生シートＡ’及びシート養生構造Ａにあっては、当該養生シートＡ’で区分された居住生活領域空間Ｈ’と施工作業領域空間Ｈ”とが境界Ｙにおいて効果的に隙間無く遮断され、施工作業領域空間Ｈ”における作業に伴う塵埃等によって居住生活領域空間Ｈ’が汚損される不具合が無く、快適な環境空間内における生活の続行が可能とされる。
【００６３】
また、このように構成される養生シートＡ’及びシート養生構造Ａにあっては、当該養生シートＡ’で区分された居住生活領域空間Ｈ’と施工作業領域空間Ｈ”とが境界Ｙにおいて効果的に遮音効果を発揮し、いずれか、一方において生ずる騒音等が他方に伝達するのを効果的に減少させ、施工作業に伴う騒音等によって継続的な居住生活が妨げられる不具合を無くし、また、施工作業が、居住生活の続行を意識すること無く進めることができる。
【００６４】
また、このように構成される養生シートＡ’及びシート養生構造Ａにあっては、当該養生シートＡ’で区分された居住生活領域空間Ｈ’と施工作業領域空間Ｈ”とを出入り口養生シートＡ’１を活用することで、往来したり、資材の搬出入に都合のよい通路１４を構成することができ、境界Ｙを構成する養生シートＡ’及びシート養生構造Ａにおける通路１４を容易に構成することができる。
【００６５】
ついで、図５〜図８に示される他の典型的な実施の形態に係る養生シートＡ’及びシート養生構造Ａについて説明する。
【００６６】
この図５〜図８に示される養生シートＡ’及びシート養生構造Ａは、リフォームに際して、居室１１の上部側から養生シートＡ’を、一連に連続するように垂れ下げ状態に拡げ張ってシート養生構造Ａを構成し、この居室１１内に居住生活領域空間Ｈ’と施工作業領域空間Ｈ”との境界を設けたものであって、具体的には、当該居室１１の天井板２４に養生シートＡ’の上端部を止め付け、当該養生シートＡ’を垂れ下げ状態に拡げ張って、その下端部分を床板２２の床面に添わせるして、居住生活領域空間Ｈ’と施工作業領域空間Ｈ”とを、隙間無く、遮蔽状態に仕切るようにした以外の構成を前記図１〜図４に示される養生シートＡ’及びシート養生構造Ａと同一又は実質的に同一の構成としてあり、同様の効果が奏効される。従って、前記図１〜図４に示される養生シートＡ’及びシート養生構造Ａと同一又は実質的に同一の構成部分には同一の番号を付して説明を省略する。
【００６７】
この図示例では、居室１１と浴室、洗面ルーム、更にはトイレットルーム（図示省略）等のサニタリー設備等の水回り側住宅部分１２のリフォームをなすべく、養生シートＡ’を居室１１の天井板２４から垂れ下げ、拡げ張るようにして、この居室１１を一連の連続するようにシート養生構造Ａで仕切ることで、この養生シートＡ’の垂れ下げ状態での張り拡げに伴う一連の仕切り部分を境界Ｙとし、図６における居室１１の左側を居住生活領域空間Ｈ’とし、右側を施工作用領域空間としてある。
【００６８】
この図示例にあっては、前記養生シートＡ’の上部側面に粘着テープ等の貼着テープ３１を貼り付け、当該養生シートＡ’より上方に延設してある当該貼着テープ３１を、養生シートＡ’の上端を天井板２４に密着させるように天井板２４に貼り付けて、当該天井板２４から養生シートＡ’を垂れ下げ、拡げ張るようにしたものであり、この貼着テープ３１による養生シートＡ’の天井板２４に対する止め付けを、より確実にするために、養生シートＡ’の上部の両面に、各別に、貼着テープ３１を貼りつけ、かつ、この養生シートＡ’から上方に延びだしているそれぞれの貼着テープ３１を、当該養生シートＡ’の上端を天井板２４に押しつけるように上方に引き上げながら、当該貼着テープ３１の備えられている養生シートＡ’の側面に連続する天井板２４面に添うように、すなわち、養生シートＡ’から上方に延びださせてあるそれそれの貼着テープ３１が互いに離れ出すむきに屈曲させて天井板２４面に貼着し、図８に示されるように養生シートＡ’を天井板２４に安定に止め付ける。
【００６９】
このように天井板２４に止め付けられた養生シートＡ’は、垂れ下げ状態で、張り拡げられる重さを備えており、天井板２４から吊設状態とされて、居室１１空間を効果的に仕切ることができる。かかる養生シートＡ’は、図１〜図４に示される養生シートＡ’及びシート養生構造Ａと同様に、複数枚の養生シートＡ’〜Ａ’を用意し、隣り合う養生シートＡ’における隣り合う側部Ａ’ｘを互いに重ね合わせるように順次に、境界Ｙに沿って吊り下げ、連設することで、一連に連続して居住生活領域空間Ｈ’と施工作業領域空間Ｈ”とを隙間無く遮断するように仕切るシート養生構造Ａを構成する。
【００７０】
また、この図示例では、シート養生構造Ａによる塵埃等の効果的な遮断等の目的から、養生シートＡ’の下端部分が床板２２面上に添う這わせ代Ａ’ｙを備える構成としてあり、防塵、遮音等の効果と共に、養生シートＡ’の張設状態を安定に維持させるようにしてある。
【００７１】
また、この図示例にあっても、図１〜図４に示される養生シートＡ’及びシート養生構造Ａと同様に、垂れ下げ状態に拡げ張られる養生シートＡ’を随時、通行や資材の搬出入の通路１４として用いることが可能であり、この図示例では、図６の壁際にあって、側部Ａ’ｘが施工作業領域空間Ｈ”側から次の養生シートＡ’に重ね合わされている出入り口養生シートＡ’１を捲りあげて、往来や資材の搬出入に用いうるようにしてある。
【００７２】
この図示例では、かかる養生シートＡ’によるシート養生構造Ａを構成することで、施工作業領域空間Ｈ”と居住生活領域空間Ｈ’とを効果的に隙間無く遮蔽し、仕切った後に、居室１１と浴室、洗面ルーム等のサニタリー設備等の水回り側住宅部分１２との間にある間仕切り壁２０の壁躯体２１を残して壁面材２３等を撤去すると共に、居室１１の床板２２の一部と天井板２４の一部とを撤去して、水回り部分のリフォームをなす状態を示している。
【００７３】
なお、養生シートＡ’の止め付けは、施工作業領域空間Ｈ”と居住生活領域空間Ｈ’とを効果的に養生シートＡ’で塞ぎ、施工作業領域空間Ｈ”において生ずる塵埃等が居住生活領域空間Ｈ’に侵入することがなく、かつ、それぞれの空間において生ずる騒音が他方の空間に伝達するのを効果的に減じうるものであれば、いかなる、止め付け手段で止め付けてあってもよく、当該各空間の境界Ｙの上部側から養生シートＡ’を垂れ下げ状態で、かつ、拡げ張った状態において、この各空間を隙間無く遮蔽するように仕切りうるものであれば、たとえば、拡げた養生シートＡ’の上端縁部分を長尺の板材（図示省略）で天井板２４に押しつけると共に、この板材による押しつけ状態を適宜の手法、たとえば、複数本の支柱等で床板２２面上に支持するなどして、天井板２４から養生シートＡを垂れ下げ状態に拡げ設けるようにするなど、いかなる、止め付け手法で当該養生シートＡ’が止め付けてあってもよい。
【符号の説明】
【００７４】
Ｈ  住宅
Ｈ’  居住生活領域空間
Ｈ”  施工作業領域空間
Ｙ  境界
Ａ  シート養生構造
Ａ’  養生シート
Ａ’ａ  吸音材
Ａ’ｂ  防水シート
Ａ’ｘ  側部
Ａ’ｙ  這わせ代
Ａ’１  出入り口養生シート
【図１】
2012007448.tif 000003
【図２】
2012007448.tif 000004
【図３】
2012007448.tif 000005
【図４】
2012007448.tif 000006
【図５】
2012007448.tif 000007
【図６】
2012007448.tif 000008
【図７】
2012007448.tif 000009
【図８】
2012007448.tif 000010